(57)【要約】      （修正有）【課題】土の法面に載置され、前記法面の浸食、崩壊を防ぎ、さらに除草機能を備えた法面載置ブロックを提供する。【解決手段】法面載置ブロック２は、上面２ａと、上面２ａに斜めに連設する法面部２ｂとからなるコンクリート成型物であって、法面部２ｂが法面１０ｂの上端から下端まで覆っている。法面部２ｂの左右側面部の一方に凹部、他方に凸部が設けられ、各々隣接する法面載置ブロック２同士が、前記凹部と凸部で嵌合、連結可能である。法面部２ｂの左右側面部が、前記左右側面部と直交する断面において、前記左右側面部の中心線部に向け凸である。また、法面部２ｂの表面側に階段部３ａが設けられている。【選択図】図１
2020002537.tif 000002
【特許請求の範囲】
【請求項１】
上面と、前記上面に斜めに連設する法面部とからなるコンクリート成型物であって、
前記法面部が法面の上端から下端まで覆うことを特徴とする法面載置ブロック。
【請求項２】
前記法面部の左右側面部の一方に凹部、他方に凸部が設けられ、各々隣接する法面載置ブロック同士が、前記凹部と凸部で嵌合、連結可能としたことを特徴とする法面載置ブロック。
【請求項３】
前記法面部の左右側面部が、前記左右側面部と直交する断面において、前記左右側面部の中心線部に向け凸であることを特徴とする請求項１又は請求項２に記載の法面載置ブロック。
【請求項４】
前記法面部の表面側に階段を設けたことを特徴とする請求項１〜請求項３の何れか１項に記載の法面載置ブロック。
【請求項５】
前記法面が、農道と農地の間の法面であることを特徴とする請求項１〜請求項４の何れか１項に記載の法面載置ブロック。
【請求項６】
前記上面に、前記法面載置ブロックの位置ズレを防ぐアンカーを差し込むための孔を設けたことを特徴とする請求項１〜請求項５の何れか１項に記載の法面載置ブロック。
【請求項７】
前記コンクリート成型物が一体かつ単体で、前記法面の上端から下端まで覆うことを特徴とする請求項１〜請求項６の何れか１項に記載の法面載置ブロック。
【請求項８】
請求項１〜請求項７の何れか１項に記載の法面載置ブロックの左右側面部の一方にもうけられた凹部と他方に設けられた凸部で、各々隣接する法面載置用ブロック同士が連結してなることを特徴とする法面被覆体。
【発明の詳細な説明】
【技術分野】
【０００１】
本発明は、土の法面に載置され、前記法面の浸食、崩壊を防ぎ、さらに除草機能を備えた法面載置ブロック、及びそれを利用した法面被覆体に関する。
【背景技術】
【０００２】
コンクリートブロックを斜面、法面に貼り付け、載置して、法面の保護を行う技術は周知である。例えば、特許文献１、２などがある。
【先行技術文献】
【特許文献】
【０００３】
【特許文献１】特開２００８−１０６５０６／張りブロック及びその敷設工法
【特許文献２】特開２００３−１０５７７０／法面覆土用ブロック
【発明の概要】
【発明が解決しようとする課題】
【０００４】
しかしながら、そのようなブロックは、複数を組み上げ、貼り付け、法面を保護している。設置が煩雑なうえに、階段を設ける場合には、別に現地にて個別的に打設して階段を作り上げている。
【０００５】
そこで、本発明は、土の法面に載置され、前記法面の浸食、崩壊を防ぎ、さらに除草機能を備えた法面載置ブロック、及びそれを利用した法面被覆体を提供することを目的とするものである。
【課題を解決するための手段】
【０００６】
そして、本発明は、上記の課題を解決するために、
（１）
上面と、前記上面に斜めに連設する法面部とからなるコンクリート成型物であって、
前記法面部が法面の上端から下端まで覆うことを特徴とする法面載置ブロック。
（２）
前記法面部の左右側面部の一方に凹部、他方に凸部が設けられ、各々隣接する法面載置ブロック同士が、前記凹部と凸部で嵌合、連結可能としたことを特徴とする法面載置ブロック。
（３）
前記法面部の左右側面部が、前記左右側面部と直交する断面において、前記左右側面部の中心線部に向け凸であることを特徴とする請求項１又は請求項２に記載の法面載置ブロック。
（４）
前記法面部の表面側に階段を設けたことを特徴とする請求項１〜請求項３の何れか１項に記載の法面載置ブロック。
（５）
前記法面が、農道と農地の間の法面であることを特徴とする請求項１〜請求項４の何れか１項に記載の法面載置ブロック。
（６）
前記上面に、前記法面載置ブロックの位置ズレを防ぐアンカーを差し込むための孔を設けたことを特徴とする請求項１〜請求項５の何れか１項に記載の法面載置ブロック。
（７）
前記コンクリート成型物が一体かつ単体で、前記法面の上端から下端まで覆うことを特徴とする請求項１〜請求項６の何れか１項に記載の法面載置ブロック。
（８）
請求項１〜請求項７の何れか１項に記載の法面載置ブロックの左右側面部の一方にもうけられた凹部と他方に設けられた凸部で、各々隣接する法面載置用ブロック同士が連結してなることを特徴とする法面被覆体。
の構成とした。
【発明の効果】
【０００７】
本発明は、土の法面に載置され、前記法面の浸食、崩壊を防ぎ、さらに除草機能を備えた法面載置ブロックであるため、法面の保護に加え、草刈りの手間を無くすることができる。昨今の農業従事者の高齢化に伴い、法面の草刈り等の管理が困難になってきているが、本発明を採用することで、草刈り作業の軽減に資する。
【０００８】
また、階段も予め一体に成形した場合には、現地の打設、成形作業が不要になり、法面のブロック被覆工事期間の短縮が図れ、設置コストを低く抑えることができる。
【図面の簡単な説明】
【０００９】
【図１】本発明の法面被覆体の部分透視概要図である。
【図２】本発明の第一の実施形態である、表面側が略平面の法面載置ブロックの部分透視六面図である。（Ａ）が正面図、（Ｂ）が左側面図、（Ｃ）が右側面図、（Ｄ）が背面図、（Ｅ）上面図、（Ｆ）が底面図である。
【図３】本発明の第二の実施形態である、表面側に階段部を設けた法面載置ブロックの部分透視六面図である。（Ａ）が正面図、（Ｂ）が左側面図、（Ｃ）が右側面図、（Ｄ）が背面図、（Ｅ）上面図、（Ｆ）が底面図である。
【図４】図２及び図３の上面２ａのＡ−Ａ‘断面図である。
【図５】法面載置ブロックの左右側面の部分拡大図である。図５（Ａ）が凹凸部の嵌合まえ、図５（Ｂ）平坦に嵌合した場面、図（Ｃ）及び（Ｄ）は、湾曲した法面に沿って傾いて嵌合できることを表している。
【発明を実施するための形態】
【００１０】
以下、添付図面に基づき本発明について詳細に説明する。なお、本発明は下記実施例に限定されるものではない。
【実施例１】
【００１１】
図１−５に示すように、本発明である法面被覆体１は、表面側が略平坦な法面載置ブロック２と、表面側に階段部３ａを備える法面載置ブロック３とが左右方向に複数連結して法面１０ｂを被覆する擁壁を形成する。
【００１２】
ここで、法面としては、一般に擁壁処理対象の斜面であって、例えば、道路の路肩から傾斜する法面、すなわち、農道と農道の上方或いは下方の農地との間の法面、農地と農地の間の法面などが例示できる。
などが例示できる。
【００１３】
本発明は、特に、図１に示すように、農道１０の路肩１０ａとその下方に位置する農地１１との間の約７０ｃｍ程度の高低差の傾斜した法面１０ｂに好適である。これにより、簡易かつ短期で、法面の保護及び防草が可能になる擁壁を設置できる。
【００１４】
法面載置ブロック２は、上面２ａと、上面２ａから斜め下に連設する表面が略平坦な本体の法面部２ｂとからなるコンクリ成型物であって、法面部２ｂが法面１０ｂの上端から下端まで覆う。好ましくは、一体かつ単体で法面１０ｂの上端から下端まで覆う。
【００１５】
本体の左右に位置する左側面部２ｃ及び右側面部２ｄには、一方に凹部２ｅ、他方に凸部２ｆが設けられ、各々隣接する法面載置ブロック同士が、凹部２ｅと凸部２ｆで嵌合、連結可能にしている。
【００１６】
さらに、左側面部２ｃ及び右側面部２ｄは、それぞれ図４、５に明示されているように、左右側面部２ｃ、２ｄと直交する断面において、それぞれ左右側面部２ｃ、２ｄと平行な中心線部に向け凸である。これにより、設置の自由度が増し、設置が容易になる。
【００１７】
上面２ａは、通常路肩１０ａに位置する。本発明の法面載置ブロックが農道の法面に設置された場合、上面２ａは農作業車によって押圧され、法面載置ブロックの位置ズレが起こる恐れがある。農作業車は、農作業上の必要性から路肩１０ａに駐車される場合が多い。そこで、本発明では、図４に明示のように、上面２ａに、法面載置ブロックの位置ズレを防ぐアンカー４を差し込むための孔２ｇを設けている。
【００１８】
法面部２ｂは被覆の観点からは平坦である必要はない。ただし、凹凸が著しいと経年の内に凹みに土が堆積し、雑草の繁殖が起こる。結果、法面部２ｂの平坦性が低いと防草効果も低くなるので、注意を要する。
【００１９】
法面載置ブロック３は、図３に示すように、法面載置ブロック２の平坦な法面部２ｂに段状の階段部３ａを、好ましくは、一体的に付加したものである。その他は、法面載置ブロック２と同様である。
【００２０】
図５に示すように、左右側面部２ｃ、２ｄが、左右側面部２ｃ、２ｄと平行な中心線部に向け、図中垂直より角度θの傾斜で凸であると、傾く遊びを備えることになり、嵌合しても図５（Ｃ）、（Ｄ）のように、法面１０ｂの湾曲に沿って凹部２ｅと凸部２ｆとの嵌合が可能になり、法面の平坦性が低くても、設置を妨げない。
【符号の説明】
【００２１】
１      法面被覆体
２      法面載置ブロック
２ａ    上面
２ｂ    法面部
２ｃ    左側面部
２ｄ    右側面部
２ｅ    凹部
２ｆ    凸部
２ｇ    孔
３      法面載置ブロック
３ａ    階段部
４      アンカー
１０    農道
１０ａ  路肩
１０ｂ  法面
１１    農地
１１ａ  畦
【図１】
2020002537.tif 000003
【図２】
2020002537.tif 000004
【図３】
2020002537.tif 000005
【図４】
2020002537.tif 000006
【図５】
2020002537.tif 000007